(57)【要約】【課題】収容マスの内周面に収容薬剤が「ひっつく」ことを防止し得る構造簡単なタブレットを提供する。【解決手段】上端及び下端が開口とされた収容マスを有するタブレットにおいて、前記収容マスの内周面を凹凸形状とする。好ましくは、前記収容マスには、前記上端開口及び下端開口に沿って延びる凹部及び凸部が該収容マスの周方向に交互に配設されており、該凹部及び凸部によって前記凹凸形状を形成される。【選択図】　図２
2004073371.tif 000002
【特許請求の範囲】
【請求項１】
上端及び下端が開口とされた収容マスを有するタブレットであって、
前記収容マスの内周面は凹凸形状とされていることを特徴とするタブレット。
【請求項２】
前記収容マスには、前記上端開口及び下端開口に沿って延びる凹部及び凸部が該収容マスの周方向に交互に配設されており、該凹部及び凸部によって前記凹凸形状を形成されていることを特徴とする請求項１に記載のタブレット。
【発明の詳細な説明】
【０００１】
【発明の属する技術分野】
本発明は、錠剤等の薬剤を所定量毎に分割収容すると共に、該分割収容された薬剤を後続する包装装置等へ供給する薬剤分割装置用タブレットに関する。
【０００２】
【従来の技術】
薬剤分割装置は、錠剤や散薬等の薬剤を所定量毎（例えば一処方毎）に分割収容すると共に、該収容薬剤を包装装置に供給し得るように構成されている。
具体的には、斯かる薬剤分割装置は、複数の収容マスを有するアンダータブレットと、該アンダータブレットの収容マスを個別に閉塞／開放する下部シャッター機構とを備えている。
さらに、前記薬剤分割装置には、作業効率の向上の為に、複数の収容マスを有し、前記アンダータブレットの上方に配設されるトップタブレットと、該トップタブレットの収容マスを閉塞／開放する上部シャッター機構とを備える場合がある。
【０００３】
以下、前記トップタブレット及び上部シャッター機構を備えた態様を例に、薬剤分割装置の動作説明を行う。
前記上部シャッター機構によって前記トップタブレットの収容マスを閉塞した状態で、使用者が該トップタブレットの各収容マスに所定量（例えば、一処方毎）の薬剤を投入する。次に、前記上部シャッター機構を開放させて、前記トップタブレットにおける複数の収容マスの薬剤を、前記アンダータブレットにおける複数の収容マスにそれぞれ落下投入させる。この際、該アンダータブレットの収容マスは、前記下部シャッター機構によって閉塞されている。
この状態から、前記下部シャッター機構によって前記アンダータブレットにおける複数の収容マスを順次個別に開放させることで、後続する包装装置に一収容マス分の薬剤を供給し、該包装装置で一収容マス分の包装を行う。
【０００４】
なお、前記トップタブレットからアンダータブレットへ薬剤が落下投入された後には、該トップタブレットの収容マスには次の薬剤が投入される。
即ち、アンダータブレットから包装装置へ薬剤を供給して包装作業を行っている間に、トップタブレットに次の薬剤分配を行うことで、薬剤分包作業の効率化を図り得るように構成されている。
【０００５】
このように、前記トップタブレット及びアンダータブレットは共に、シャッター機構によって収容薬剤を下方に自然落下させるものであるが、従来のタブレットにおいては、収容薬剤と収容マスの内周面との間の接触面積が大きい為、収容薬剤が有する静電気や湿気等の影響による該収容薬剤の収容マス内周面への「ひっつき」が起こり易く、以下に示す問題があった。
【０００６】
即ち、前記上部シャッター機構及び下部シャッター機構による収容マスの開放動作は、包装装置の動作タイミング等に適合し得るように設定されている。
従って、トップタブレット及び／又はアンダータブレットにおける複数の収容マスにそれぞれ収容されている薬剤のうちの何れかの落下タイミングが遅れると、後続する包装作業に支障をきたすことになる。
又、トップタブレット及び／又はアンダータブレットからの薬剤の落下タイミングが遅れると、該落下の遅れた薬剤が上部シャッタ機構及び／又は下部シャッター機構に挟まれて破砕したり、及び／又は、薬剤が挟まれている為、収容マスが正確に閉塞されず、次段の分包工程において調剤過誤が起こり得るという問題があった。
【０００７】
【発明が解決しようとする課題】
本発明は、斯かる従来技術に鑑みなされたものであり、収容マスに収容されている薬剤を効率良く落下させ得る構造簡単なタブレットの提供を、一の目的とする。
【０００８】
【課題を解決するための手段】
本発明は、前記目的を達成するために、上端及び下端が開口とされた収容マスを有するタブレットであって、前記収容マスの内周面は凹凸形状とされているタブレットを提供する。
好ましくは、前記収容マスには、前記上端開口及び下端開口に沿って延びる凹部及び凸部が該収容マスの周方向に交互に配設されており、該凹部及び凸部によって前記凹凸形状を形成されているものとし得る。
【０００９】
【発明の実施の形態】
以下に、本発明に係るタブレットの好ましい一実施の形態について、添付図面を参照しつつ説明する。
図１は本実施の形態に係るタブレット１の平面図である。又、図２（ａ）及び（ｂ）は、それぞれ、図１におけるＩＩ部拡大図及びＩＩ部縦断面図である。
【００１０】
図１及び図２に示すように、本実施の形態に係るタブレット１は、上端１１及び下端１２が開口とされた収容マス１０を複数個有している。
該タブレット１は、シャッター機構（図示せず）との共働下に、収容マス１０に収容された薬剤を該収容マス１０内に保持させると共に、該収容マス１０から下方へ落下させ得るように構成されている。
【００１１】
なお、本実施の形態に係るタブレット１はアンダータブレットとして使用されるように構成されており、従って、前記複数の収容マス１０は前記シャッター機構によって個別に開放され得るようになっている。
【００１２】
詳細な説明は省略するが、前記シャッター機構は、前記複数の収容マス１０のそれぞれに個別に設けられた複数の閉塞板を有している。
該閉塞板は、前記収容マス１０の下端開口１２を閉塞する閉塞位置と、該下端開口１２を開放する開放位置との間で揺動し得るように、前記タブレット１に揺動自在に連結されている。図１における符号５０は、各閉塞板を揺動自在に支持する枢支ピンである。
前記閉塞板は、前記タブレット１の下方に配設された保持体（図示せず）であって、該タブレット１に対して相対移動する保持体によって閉塞位置／開放位置をとるようになっている。
例えば、該保持体が一の収容マス１０の直下に位置する際には、該一の収容マス１０に対応した閉塞板は該保持体によって閉塞位置に保持される。そして、該保持体が前記一の収容マス１０の直下に存しないように、タブレット１及び保持体が水平に相対移動すると、該一の収容マス１０に対応した閉塞板が自重によって開放位置まで揺動するように構成される。
【００１３】
本実施の形態に係るタブレット１は、前記収容マス１０の内周面１３が凹凸形状とされており、これにより、前記シャッター機構を作動させて収容マス１０の下端開口１２を開放させ、該収容マス１０に収容されている薬剤を落下させる際に、薬剤が収容マス１０の内周面１３に「ひっつく」ことによる該薬剤の「落下遅れ」又は「落下ミス」を有効に防止できる。
即ち、前記収容マス１０の内周面１３を凹凸形状とすることにより、収容されている薬剤と収容マス１０の内周面１３との接触面積を減少させることができる。その為、収容薬剤が有する静電気や湿気等に起因する該収容薬剤の収容マス内周面への「ひっつき」を有効に防止できる。
従って、後続する包装装置の動作タイミングに適合した所定タイミングで一収容マス分の薬剤を供給することができると共に、「落下遅れ」によって収容薬剤がシャッター機構に挟まれることを有効に防止できる。
【００１４】
好ましくは、図２に示すように、前記収容マス１０の上端開口１１及び下端開口１２に沿って延びる凹部１４及び凸部１５を該収容マス１０の周方向に交互に配設することによって、前記凹凸形状を形成することができる。
斯かる構成を備えることにより、収容薬剤が収容マス内周面に「ひっつく」ことを有効に防止しつつ、該収容薬剤をより確実に落下させることができる。
好ましくは、前記凹部１４と凸部１５との連結部位を、平面視、円弧状とすることができ、これにより、該連結部位を滑らかに形成することができる。
【００１５】
なお、前記凹凸形状は、収容薬剤との接触面積を減少させ得る限り、種々の形状及び／又は大きさとし得る。
例えば、前記凹部１４の周方向幅を２ｍｍ〜４ｍｍ、前記凸部１５の周方向幅を３ｍｍ〜５ｍｍとし、該凹部１４及び凸部１５の段差を０．２ｍｍ〜０．２ｍｍとすることができる。
【００１６】
又、本実施の形態においては、アンダータブレットとして使用する場合を例に説明したが、当然ながら、本発明に係るタブレットをトップタブレットとして使用することもできる。
【００１７】
【発明の効果】
以上のように、本発明に係るタブレットによれば、収容マスの内周面を凹凸形状としたので、静電気や湿気等に起因して収容薬剤が収容マスの内周面に「ひっつく」ことを有効に防止できる。
従って、収容マスから薬剤を所望タイミングで落下させ得ると共に、「落下遅れ」によって薬剤がシャッター機構に挟まることを有効に防止できる。
【図面の簡単な説明】
【図１】図１は、本発明の好ましい実施の形態に係るタブレットの平面図である。
【図２】図２（ａ）は、図１におけるＩＩ部拡大図である。
図２（ｂ）は、図２（ａ）に示す収容マスの縦断面図である。
【符号の説明】
１　　　　　　　タブレット
１０　　　　　　収容マス
１１　　　　　　上端開口
１２　　　　　　下端開口
１３　　　　　　内周面
１４　　　　　　凹部
１５　　　　　　凸部
【図１】
2004073371.tif 000003
【図２】
2004073371.tif 000004